(57)【要約】【課題】燃料電池用カートリッジのコネクタにおいて、使用範囲想定外の回転方向の外力が加わったときに燃料電池用カートリッジ及び燃料電池搭載機器の破損を防止する【解決手段】本発明の燃料電池用カートリッジのコネクタ１は、燃料を収容する燃料収容部を覆うカートリッジケース２に保持され、一端が前記燃料収容部の内部と連通し、他端に燃料供給口を取り囲む接続用突体１２を備えてなり、燃料電池を搭載し、燃料受給口を有して接続用突体１２に対応する接続部を備えた機器に着脱可能に接続する。接続用突体１２が前記接続部と接続し、前記燃料供給口と前記燃料受給口とを連通させた状態において、カートリッジケース２に所定値以上の回転方向の外力が加わったときにカートリッジケース２を回転させる回転機構を備える。【選択図】図１
2008027703.tif 000002
【特許請求の範囲】
【請求項１】
燃料電池に供給する燃料を収容する燃料収容部を覆うカートリッジケースに保持され、
一端が前記燃料収容部の内部と連通し、他端に外面に臨み前記燃料を供給する燃料供給口及び該燃料供給口を取り囲む接続用突体を備えてなり、
燃料電池を搭載し、外面に臨み燃料を受給するための燃料受給口を有し前記接続用突体に対応する接続部を備えた機器に着脱可能に接続する燃料電池用カートリッジのコネクタにおいて、
前記接続用突体が前記接続部と接続し、前記燃料供給口と前記燃料受給口とを連通させた状態において、前記カートリッジケースに所定値以上の回転方向の外力が加わったときに前記カートリッジケースを回転させる回転機構を備えていることを特徴とする燃料電池用カートリッジのコネクタ。
【請求項２】
前記回転機構が、前記カートリッジケースに備えられた係合手段と係合する回転停止用の係合部を有するものであることを特徴とする請求項１に記載の燃料電池用カートリッジのコネクタ。
【請求項３】
前記接続用突体及び前記接続部には、それぞれ対応する溝及び／又は突起からなる接続用係合キーが形成され、前記燃料電池用カートリッジと前記機器とは、前記接続用係合キーにより接続可能にされてなり、
前記係合部が、前記接続用係合キーの溝及び／又は突起の位置を特定する位置に形成されたものであることを特徴とする請求項２に記載の燃料電池用カートリッジのコネクタ。
【請求項４】
前記係合手段が、前記所定値を設定可能な調整機構を備えたものであることを特徴とする請求項２又は３に記載の燃料電池用カートリッジのコネクタ。
【発明の詳細な説明】
【技術分野】
【０００１】
本発明は、燃料電池用カートリッジのコネクタに関し、特に燃料電池利用機器との接続構造に関するものである。
【背景技術】
【０００２】
燃料電池は、例えば水素、メタノール等の燃料と酸素とを隔てる電解質膜が水素イオンを通すことによって、水素と酸素を化学反応させ、電気を発生させるエネルギー変換装置であり、作動温度が低く、装置の小型化が期待できることから、現在さまざまな用途に使用され、例えばノート型パソコンや携帯電話の連続動作時間を長時間化させることができるモバイル機器用電源などの分野で開発が進められている。
【０００３】
そして、該モバイル機器用電源などに使用される燃料電池は、通常、前記モバイル機器内部に搭載されていて、燃料を使い切ると、新たに燃料を補充することによって直ぐに発電することが可能である。そして前記搭載された燃料電池に燃料を補充するために、燃料を供給する燃料容器（例えば燃料電池用カートリッジ）が提案されている（特許文献１）。
【特許文献１】特開２００６−５４０５５号公報
【発明の開示】
【発明が解決しようとする課題】
【０００４】
上記のような燃料電池用カートリッジは、燃料電池が搭載された機器（以下機器という）と接続して燃料電池に燃料を補充するときに、前記機器の接続部に着脱可能に接続固定するための燃料電池用カートリッジのコネクタを備えている。該コネクタには、機器の接続部に接続するときに種類の異なる燃料を収容した燃料電池用カートリッジの誤装着を防止するために、燃料電池用カートリッジの種類を限定するキー溝及び／又はキー突起等が形成されたものがあり、該キー溝及び／又はキー突起に対応するキー突起及び／又はキー溝等が形成された前記機器の接続部にのみ固定接続可能とされている。
【０００５】
しかしながら上記のように燃料電池用カートリッジがコネクタによって機器の接続部と固定された状態で、通常の使用時に燃料電池用カートリッジに加わる力とは別の回転方向の外力が、コネクタ部分に加わったときに、コネクタすなわち燃料電池用カートリッジや機器の接続部のうちの何れかが破損する虞がある。
【０００６】
本発明はかかる事情に鑑みてなされたものであり、燃料電池用カートリッジに回転方向の外力が加わったときに、燃料電池搭載機器及び燃料電池用カートリッジが破損するのを防止する燃料電池用カートリッジのコネクタを提供することを目的とするものである。
【課題を解決するための手段】
【０００７】
本発明の燃料電池用カートリッジのコネクタは、燃料電池に供給する燃料を収容する燃料収容部を覆うカートリッジケースに保持され、
一端が前記燃料収容部の内部と連通し、他端に外面に臨み前記燃料を供給する燃料供給口及び該燃料供給口を取り囲む接続用突体を備えてなり、
燃料電池を搭載し、外面に臨み燃料を受給するための燃料受給口を有し前記接続用突体に対応する接続部を備えた機器に着脱可能に接続する燃料電池用カートリッジのコネクタにおいて、
前記接続用突体が前記接続部と接続し、前記燃料供給口と前記燃料受給口とを連通させた状態において、前記カートリッジケースに所定値以上の回転方向の外力が加わったときに前記カートリッジケースを回転させる回転機構を備えていることを特徴とするものである。
【０００８】
本発明において「所定値以上の回転方向の外力」とは、通常の使用時に燃料電池用カートリッジに加わる回転方向の力とは別の力であって、想定範囲外な使用をした際に生じる力や故意に破損させようとする力等をいう。
【０００９】
本発明の燃料電池用カートリッジのコネクタは、前記回転機構が、前記カートリッジケースに備えられた係合手段と係合する回転停止用の係合部を有するものであることが好ましい。
【００１０】
本発明の燃料電池用カートリッジのコネクタは、前記接続用突体及び前記接続部に、それぞれ対応する溝及び／又は突起からなる接続用係合キーが形成され、前記燃料電池用カートリッジと前記機器とは、前記接続用係合キーにより接続可能にされてなり、
前記係合部が、前記接続用係合キーの溝及び／又は突起の位置を特定する位置に形成されたものであることが好ましい。
【００１１】
本発明の燃料電池用カートリッジのコネクタは、前記係合手段が、前記所定値を設定可能な調整機構を備えたものであることが好ましい。
【発明の効果】
【００１２】
本発明の燃料電池用カートリッジのコネクタによれば、接続用突体が接続部と接続し、燃料供給口と燃料受給口とを連通させた状態において、カートリッジケースに所定値以上の回転方向の外力が加わったときにカートリッジケースを回転させる回転機構を備えているので、接続用突体と接続部とが接続固定された状態でカートリッジケースに所定値以上の回転方向の外力が加わったときに、カートリッジケースが回転するため、前記接続固定されている部分に、前記回転方向の外力が加わらない。従って接続部とコネクタすなわち燃料電池搭載機器及び燃料電池用カートリッジが破損するのを防止することができる。
【００１３】
本発明の燃料電池用カートリッジのコネクタにおいて、回転機構が、カートリッジケースに備えられた係合手段と係合する回転停止用の係合部を有するものである場合には、該係合部を形成する位置を選択することにより、任意の位置にてカートリッジケースの回転を停止することができる。これにより、カートリッジケースは、通常の使用時には、前記任意の位置にて停止した状態を保持し、前記所定値以上の回転方向の外力が加わったときにのみカートリッジケースが回転する。
【００１４】
本発明の燃料電池用カートリッジのコネクタにおいて、接続用突体及び接続部には、それぞれ対応する溝及び／又は突起からなる接続用係合キーが形成され、燃料電池用カートリッジと機器とは、接続用係合キーにより接続可能にされてなり、係合部が、接続用係合キーの溝及び／又は突起の位置を特定する位置に形成されたものである場合には、前記機器と接続するときに、接続用係合キーの位置を特定することができるので、カートリッジケースが回転してキー溝のカートリッジケースに対するキー溝の位置が変わり、前記機器との接続が困難になるのを防止することができ、コネクタと前記機器とを容易に接続することができる。
【００１５】
本発明の燃料電池用カートリッジのコネクタにおいて、係合手段が、前記所定値を設定可能な調整機構を備えたものである場合には、前記機器及び／又は燃料電池用カートリッジの部品の強度等に応じてカートリッジケースが回転を開始する回転方向の外力の所定値を変更することができる。
【発明を実施するための最良の形態】
【００１６】
次に図面を参照し、本発明にかかる一実施形態の燃料電池用カートリッジのコネクタ１（以下、単にコネクタという）について詳細に説明する。図１は本実施形態の燃料電池用カートリッジの分解斜視図、図２は図１のコネクタ１の斜視図、図３は図１のコネクタ１の回転機構を説明する図である。なお本実施形態のコネクタにおいては、便宜上、図示しない燃料電池搭載機器の接続部と接続する側を上方として以下説明する。
【００１７】
本実施形態の燃料電池用カートリッジのコネクタ１は、図１に示す如く、図示しない燃料電池搭載機器に搭載された燃料電池に供給する燃料を収容する燃料収容部２Ｆ（図４参照）を覆うカートリッジケース２に保持される円筒状の大径部１１と、大径部１１の上面から上方に向かって突出された円筒状の接続用突体１２とを備え、大径部１１の下端は前記燃料収容部２Ｆの内部と連通し、接続用突体１２は内部の略中心に、外面に臨み燃料電池に燃料を供給する図示しない燃料供給口を備えている。
【００１８】
大径部１１には、図１、２に示す如く、上下方向略中央の外周面に環状溝１１１が形成されている。そして該環状溝１１１より下方側の大径部１１の外周面には、外面から内方に向かってＶ字状に切り欠かれた回転停止用の係合部１１２が形成されている。
【００１９】
カートリッジケース２は、一端が開口した箱形状のケース本体２１と、該ケース本体２１の前記開口に嵌合する板状のケース蓋体２２とから構成され、ケース本体２１内部の４つの隅部には、ねじ穴２１ａを有する円柱部が配設され、ケース蓋体２２には、ねじ穴２１ａに対応する位置に孔２２ａが形成されて、図示しないねじが該孔２２ａを貫通してねじ穴２１ａと螺合することによって、ケース本体２１とケース蓋体２２とが取り付けられている。そしてケース本体２１の一側面には、前記開口側の端部からケース本体２１の底面に向かって先端が半円状になるように切り欠かれた本体側切欠部２１１が形成されている。なおケース本体２１とケース蓋体２２との取付けは上記方法に限られるものではなく、例えば溶着や接着等によって取り付けてもよい。
【００２０】
またケース本体２１の底面には本体側切欠部２１１が形成された面に隣接して凹部２１２が形成され、該凹部２１２には金属等で形成された係合手段としての弾性部材２３が嵌合する。弾性部材２３は細長い板状に形成され、凹部２１２に嵌合されたときに開口側に位置する面に、上述の大径部１１の係合部１１２と係合するＶ字状の凸部２３ａが形成されている。該凸部２３ａは高さ方向に弾性を有している。なお本実施形態の弾性部材２３は金属で形成されたものであるが、本発明はこれに限られるものではなく、弾性を有するものであればよく、例えば樹脂やゴム等で形成してもよい。
【００２１】
ケース蓋体２２には、ケース本体２１側に位置する面の一縁部に、ケース本体２１側に向かって板が突設され、該板にはケース本体２１側の端部から他端に向かって半円状に切り欠かれた蓋体側切欠部２２１が形成されている。そしてケース本体２１にケース蓋体２２が取り付けられたときに、前記板が本体側切欠部２１１の内面に嵌合し、蓋体側切欠部２２１と本体側切欠部２１１との半円部が対向して一つの円が形成される。
【００２２】
本発明において特徴的なのは、コネクタ１が、接続用突体１２と接続部とが接続し、燃料供給工と燃料受給口とが連通した状態で、カートリッジケース２に所定値以上の回転方向の外力が加わったときにカートリッジケース２を回転させる回転機構を備えていることである。本実施形態のコネクタ１における回転機構は、上述した大径部１１の環状溝１１１で構成され、上述した一つの円の軸と環状溝１１１の軸とが同軸上に位置し、前記円の内周面を環状溝１１１の外周面が回転方向に摺動可能になるように、コネクタ１が蓋体側切欠部２２１と本体側切欠部２１１とに環状溝１１１にて両側から保持されることにより構成されている。
【００２３】
このときコネクタ１は大径部１１の接続用突体１２と反対側の端面がカートリッジケース２内に位置し、該端面の筒穴に、例えば袋体で構成され、内部に燃料を収容した燃料収容部２Ｆが接続されて、コネクタ１、カートリッジケース２及び燃料収容部２Ｆによって燃料電池用カートリッジが構成される。なおコネクタ１とカートリッジケース２とは、回転停止用の係合部１１２と弾性部材２３の凸部２３ａとが係合することによって、通常の使用時には回転が停止している。
【００２４】
なお係合部１１２を形成する位置を選択することにより、任意の位置にてカートリッジケース２の回転を停止することができるので、カートリッジケース２は、通常の使用時には、前記任意の位置にて停止した状態を保持し、カートリッジケース２に所定値以上の回転方向の外力が加わったときにのみカートリッジケース２が回転する。
【００２５】
接続用突体１２は、図２に示す如く、先端部外周に外方に向かって等間隔に突出した固定用の係合用爪１２４を備えている。さらに接続用突体１２は先端部内周面の一箇所に、内方に向かって突設され、先端面から下方に延びる絶対位置の基準となる基準突起１２１と、この基準突起１２１に対して、燃料電池用カートリッジの種類に応じて予め設定された本数（本実施形態では２本）で、且つ予め設定された位置に、先端面から下方に延設された選択突起１２２、１２３とが形成されている。このとき基準突起１２１は、選択突起１２２、１２３よりも幅が広く形成されている。なお選択突起１２２と選択突起１２３とは燃料電池用カートリッジの種類に応じて幅及び装着方向の長さが異なるものであってもよい。これら基準突起１２１、選択突起１２２及び選択突起１２３が、コネクタ側係合キーＫ１を構成している。
【００２６】
なお本実施形態においてコネクタ１の接続用係合キーＫ１を上記のような構成としたが、本発明はこれに限られるものではなく、例えば基準突起１２１を複数設けてもよいし、基準突起１２１及び選択突起１２２、１２３を外周面に設けてもよいし、内周面と外周面に設けてもよいし、多数の組合せパターンが考えられ、適宜設計変更可能である。
【００２７】
また図示しない燃料電池搭載機器の接続部は、略中央に外面に臨み燃料を受給するための燃料受給口を有し、該燃料受給口を取り囲む接続筒体を備え、該接続筒体の外周面には、上述した基準突起１２１に対応する接続部側基準溝及び選択突起１２２、１２３にそれぞれ対応する２つの接続部側選択溝が形成されている。これら接続部側基準溝及び２つの接続部側選択溝が接続部側係合キーを構成している。さらに接続部は係合用爪１２４が取り外し可能に係合する固定部も備えている。接続部とコネクタ１とを着脱可能に接続固定する構造については、本願出願人が先に出願した特開２００６−１１２６３５号公報に記載のロック機構付コネクタ構造を使用できるものとし、本願において説明は省略する。
【００２８】
上記のように構成された本実施形態の燃料電池用カートリッジのコネクタ１を燃料電池搭載機器の接続部に接続するには、コネクタ側係合キーＫ１と接続部側係合キーとを係合させて嵌合し、図示しない燃料供給口と燃料受給口とを連通させて、さらに係合用爪１２４を接続部に係合させて固定する。これにより燃料収容部２Ｆ内部の燃料がコネクタ１及び接続部を介して燃料電池（図示せず）に供給される。なおこのとき接続部には、接続部側の接続用係合キーに対応する接続用係合キーＫ１を有するコネクタ１のみが接続可能である。よってユーザが無意識に接続しようとしても、接続部側の接続用係合キーに対応する接続用係合キーＫ１を有するコネクタ１以外は嵌合しないようにしてあるため、接続用係合キーＫ１を有さない、すなわち燃料電池搭載機器に搭載された燃料電池に対応しないコネクタ１は接続することができないので、燃料電池用カートリッジの誤装着を防止することができる。
【００２９】
またこのときコネクタ１の回転停止用の係合部１１２は、コネクタ側係合キーＫ１の位置を特定する位置、たとえば基準突起１２１をカートリッジケース２のケース蓋体２２側の該蓋体２２平面と並行する位置等に形成しておけば、基準突起１２１の位置を特定することができるので、カートリッジケース２が回転してコネクタ側係合キーＫ１のカートリッジケース２に対する位置が変わることにより接続部との接続が困難になるのを防止することができて、コネクタ１と接続部とを容器に接続することができる。
【００３０】
そして上記のように燃料供給口と燃料受給口とを連通させ、図３（ａ）、（ｂ）に示す如く、回転停止用の係合部１１２と弾性部材２３の凸部２３ａとが係合して、接続用突体１２が接続部と接続固定された状態において、カートリッジケース２に回転方向ｄの外力が加わったときに、通常の使用時に加わる外力ではコネクタ１とカートリッジケース２とは係合部１１２と凸部２３ａとが係合したままカートリッジケース２の回転は停止された状態を維持する。そして所定値以上の回転方向の外力が加わったときに、凸部２３ａが本体ケース２１の底面に向かって係合部１１２の内面に押圧されることにより、図３（ｃ）、（ｄ）に示す如く、回転停止用の係合部１１２と弾性部材２３の凸部２３ａとの係合が外れて、コネクタ１は接続部と固定接続されたままでカートリッジケース２のみがｄ方向に回転する。これにより、前記接続固定されているコネクタ１及び接続部に、前記回転方向の外力が加わらないので、接続部及びコネクタ１すなわち燃料電池搭載機器及び燃料電池用カートリッジが破損するのを防止することができる。そしてカートリッジケース２に加わる回転方向の外力が所定値以下になって、係合部１１２と凸部２３ａとが再度係合すると、カートリッジケース２の回転が停止する。
【００３１】
なお本実施形態のコネクタ１は係合部１１２を１箇所に形成したが、本発明のコネクタはこれに限られるものではなく、例えば四方に４箇所形成する等、任意の位置に任意の数形成することができる。これによりカートリッジケースの回転が停止する位置を任意に決定することができる。
【００３２】
また本実施形態のコネクタ１の係合部１１２はＶ字状に形成したが、本発明はこれに限られるものではなく、例えば半球状、コの字状、三角形状、台形状等に形成することができる。この場合、弾性部材２３の凸部２３ａも上記係合部１１２と係合可能なように、例えば半球状、コの字状、三角形状、台形状等に形成する。
【００３３】
また本実施形態のコネクタ１及び接続部は、接続用係合キーによって接続可能にされたものであるが、本発明はこれに限られるものではなく、接続用係合キーが形成されていないものであってもよい。この場合、コネクタ側係合キーＫ１の位置を特定する必要がないので、コネクタに回転停止用の係合部を備えずにカートリッジケースを回転自在に構成してもよい。このときカートリッジケース２の回転抵抗を調整することにより、カートリッジケース２が回転を開始する回転方向の外力の所定値を設定することができる。
【００３４】
次に上述したコネクタ１を備える第二の実施形態の燃料電池用カートリッジを、図面を参照して説明する。図４に第二の実施形態の燃料電池用カートリッジの分解斜視図を示す。なお上述した実施形態の燃料電池用カートリッジと同様の箇所は、同符号で示して説明を省略し、異なる箇所についてのみ詳細に説明する。
【００３５】
本実施形態の燃料電池用カートリッジは、係合部１１２と係合するために本体ケース２１に備えられた係合手段が異なっている。本実施形態の本体ケース２１には本体側切欠部２１１に隣接する位置に本体ケース２１の底面から上方に向かって、中央に筒孔２１３ａを有する四角筒体２１３が突設されている。筒孔２１３ａの開口は長方形に形成され、幅の短い方が、本体側切欠部２１１が形成された本体ケース２１の側面と平行になるように配設されている。また筒孔２１３ａには、金属等で細長い板状に形成された係合手段としての第二の弾性部材２４の一端が挿入されている。
【００３６】
第二の弾性部材２４は、本体側切欠部２１１側に係合部１１２と係合するＶ字状の第二の凸部２４ａが形成されている。該凸部２４ａは凸部２４ａの突出方向に弾性を有している。なお本実施形態の第二の弾性部材２４は金属で形成されたものであるが、本発明はこれに限られるものではなく、弾性を有するものであればよく、例えば樹脂やゴム等で形成してもよい。
【００３７】
上記のように形成された第二の凸部２４ａが係合部１１２と係合することにより、上述した実施形態と同様にカートリッジケース２の回転を停止させる。
【００３８】
次に上述したコネクタ１を備える第三の実施形態の燃料電池用カートリッジを、図面を参照して説明する。図５に第三の実施形態の燃料電池用カートリッジの分解斜視図を示す。なお上述した実施形態の燃料電池用カートリッジと同様の箇所は、同符号で示して説明を省略し、異なる箇所についてのみ詳細に説明する。
【００３９】
本実施形態の燃料電池用カートリッジは、係合部１１２と係合するために本体ケース２１に備えられた係合手段が異なっている。本実施形態の本体ケース２１には本体側切欠部２１１に隣接する位置に本体ケース２１の底面及び側面に、例えば突起等による嵌合、ビス止め、接着剤等により固着された直方体２５が配設され、該直方体２５には本体側切欠部２１１側の端面から他端に向かって穴２５ａが形成されている。該穴２５ａには、先端に本体側切欠部２１１側に係合部１１２と係合する球状の先端子２６ａが配設されたバネ２６が挿入され、バネ２６は先端子２６ａを係合部１１２に向かって付勢している。なお直方体２５、バネ２６、先端子２６ａが係合手段を構成している。
【００４０】
上記のように形成された球状の先端子２６ａが係合部１１２と係合することにより、上述した実施形態と同様にカートリッジケース２の回転を停止させる。そしてカートリッジケース２に所定値以上の回転方向の外力が加わったときに、係合部１１２の斜面に先端子２６ａが押圧されて、先端子２６ａが穴２５ａに没入するまでバネ２６が縮むことによって、先端子２６ａと係合部１１２との係合が外れて、カートリッジケース２が回転する。
【００４１】
次に上述したコネクタ１を備える第四の実施形態の燃料電池用カートリッジを、図面を参照して説明する。図６に第四の実施形態の燃料電池用カートリッジの分解斜視図を示す。なお本実施形態は、上記第三の実施形態の燃料電池用カートリッジと略同様の構成であるため、同様の箇所は同符号で示して説明を省略し、異なる箇所についてのみ詳細に説明する。
【００４２】
本実施形態の燃料電池用カートリッジは、第三の実施形態の係合手段が、バネ２６の付勢力を設定可能な調整機構を備えている。調整機構は、直方体に穴２５ａから延びて形成されて貫通するねじ穴２５ｂと、バネ２６に先端を当接させてねじ穴２５ｂに螺合するねじ２７とで構成され、ねじ２７の締め付け具合によってバネ２６の撓みすなわち付勢力を容易に細かく設定することができる。これにより、燃料電池搭載機器及び／又は燃料電池用カートリッジの部品の強度等に応じてカートリッジケース２が回転を開始する回転方向の外力の所定値を変更することができる。
【００４３】
上述した実施形態のコネクタ１はカートリッジケース２を正転逆転可能に回転させることが可能であるが、例えば第二の実施形態において第二の弾性部材２４のＶ字状の凸部２４ａを、図７に示す如く、ケース本体２１の開口側に平坦を有するレ字状の凸部２４ａ’が形成された第二の弾性部材２４’とし、係合部１１２を大径部１１の直径と略平行な線を有するレ字状の係合部１１２’とした場合には、凸部２４ａ’と係合部１１２’の平坦箇所がそれぞれ当接する方向（図７における反時計回り）へのカートリッジケース２の回転が規制される。これによりカートリッジケース２の回転を一方方向に規制することが可能となる。そしてカートリッジケース２に所定値以上の回転可能方向の外力が加わったときに、係合部１１２’の斜面が凸部２４ａ’の斜面を押圧することにより、係合部１１２’と凸部２４ａ’との係合が外れ、カートリッジケース２は回転可能方向（図７における時計回り）へ回転する。
【００４４】
また第三、第四の実施形態において先端子２６ａを、図８に示す如く、ケース本体２１の開口側に平坦を有するレ字状の先端子２６ａ”が固着されたバネ２６”とし、係合部１１２を大径部１１の直径と略平行な線を有するコ字状の係合部１１２”とした場合には、上記と同様に、先端子２６ａ”と係合部１１２”の平坦箇所がそれぞれ当接する方向（図８における反時計回り）へのカートリッジケース２の回転が規制される。これによりカートリッジケース２の回転を一方方向に規制することが可能となる。
【００４５】
そしてカートリッジケース２に所定値以上の回転可能方向の外力が加わったときに、係合部１１２”の大径部１１の直径と略平行な内面が先端子２６ａ”の斜面を押圧することにより、係合部１１２”と先端子２６ａ”との係合が外れ、カートリッジケース２は回転可能方向（図８における時計回り）へ回転する。
【００４６】
なおこのとき先端子２６ａ”のバネ２６側に、該バネ２６の中心を貫通する図示しない棒状のハンドルを接続すれば、ハンドルを回転させることにより、規制する回転方向を容易に変更することができる。またねじ２７を貫通穴付ねじにして、該貫通穴にハンドルの先端子２６ａ”が接続されていない側の端部を挿通することにより、挿通した端部を保持することでカートリッジケースの回転を抑制することが可能となる。
【図面の簡単な説明】
【００４７】
【図１】本発明の第一の実施形態の燃料電池用カートリッジの主要部分解斜視図
【図２】図１の燃料電池用カートリッジのコネクタの斜視図
【図３】図１のコネクタの回転機構を説明する図
【図４】第二の実施形態の燃料電池用カートリッジの主要部分解斜視図
【図５】第三の実施形態の燃料電池用カートリッジの主要部分解斜視図
【図６】第四の実施形態の燃料電池用カートリッジの主要部分解斜視図
【図７】別の実施形態の弾性部材及び係合部の正面図
【図８】別の実施形態の係合手段と係合部との係合を示す図
【符号の説明】
【００４８】
１              燃料電池用カートリッジのコネクタ
１１            大径部
１１１          環状溝
１１２          係合部
１２            接続用突体
１２１          基準突起
１２２、１２３  選択突起
２              カートリッジケース
２１            ケース本体
２１１          本体側切欠部
２１２          凹部
２２            ケース蓋体
２２１          蓋体側切欠部
２３、２４、２６弾性部材
２３ａ、２４ａ  凸部（係合手段）
２６ａ          先端子（係合手段）
２Ｆ            燃料収容部
Ｋ１            コネクタ側接続用係合キー
【図１】
2008027703.tif 000003
【図２】
2008027703.tif 000004
【図３】
2008027703.tif 000005
【図４】
2008027703.tif 000006
【図５】
2008027703.tif 000007
【図６】
2008027703.tif 000008
【図７】
2008027703.tif 000009
【図８】
2008027703.tif 000010